(57)【要約】【課題】測定装置での操作に基づいてＧＰＩＢコマンドシーケンスを自動的に作成することにより、操作者が所望するＧＰＩＢコマンドシーケンスの作成を容易にし、また、不具合が発生したときの操作を簡易に再現できる構成にして、保守サービスを容易にする。【解決手段】操作部１１から各種の測定条件もしくは各種の測定機能の一連の設定入力に対応する実行指示を受けたコマンドシーケンス生成部３０が、その一連のＧＰＩＢコマンドに翻訳して外部記憶媒体８０へ出力する。そして、外部記憶媒体８０から読み出された一連のＧＰＩＢコマンドを受けたＧＰＩＢＩ／Ｆ部５０が、一連のＧＰＩＢコマンドを測定実行部が実行できる実行指示に翻訳して測定実行部に送って実行させる。【選択図】図１
2010203996.tif 000002
【特許請求の範囲】
【請求項１】
被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）とを備えた測定装置（１００）において、
前記ユーザＩ／Ｆ部からの前記実行指示をＧＰＩＢコマンドに翻訳して外部へ出力するコマンドシーケンス生成部（３０）と、
外部から前記ＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備えたことを特徴とする測定装置。
【請求項２】
被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）とを備え、複数製造されるうちの一つの測定装置（１０１）において、
前記ユーザＩ／Ｆ部からの前記実行指示をＧＰＩＢコマンドに翻訳して第１の外部記憶媒体（８１）に記憶させるコマンドシーケンス生成部（３０）と、
前記複数製造されるうちの他の一つの前記測定装置（２００）の前記コマンドシーケンス生成部で記憶された他の外部記憶媒体から読み出されたＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備え、
前記第１の外部記憶媒体に記憶された前記ＧＰＩＢコマンドは、読み出されて、前記複数製造されるうちのいずれか一つの前記測定装置の前記ＧＰＩＢＩ／Ｆ部で利用可能であることを特徴とする測定装置。
【請求項３】
被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）と、外部の制御器（３００）からＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備え、複数製造されるうちの一つの測定装置（１００）において、
前記測定実行部が受ける前記実行指示の順に、該実行指示をＧＰＩＢコマンドに翻訳して外部へ出力するコマンドシーケンス生成部（３０）と、
前記ＧＰＩＢＩ／Ｆ部は、前記複数製造されるうちの他の一つの前記測定装置のコマンドシーケンス生成部で生成されたＧＰＩＢコマンドが記憶された他の外部記憶媒体が装着された前記制御器から該ＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送ることを特徴とする測定装置。
【発明の詳細な説明】
【技術分野】
【０００１】
本発明は、例えばＧＰＩＢコマンド等により外部から制御可能な測定装置に関する。特に、操作部で測定条件や測定機能を設定入力して測定するとき、その設定入力された制御内容をＧＰＩＢコマンドシーケンスに変換して生成し、外部の他の同種の測定装置で再利用可能に外部へ取り出せるようにする技術に関する。
【背景技術】
【０００２】
操作者が、測定部の操作部でキー操作したとき、そのキー操作で設定された測定条件や機能をコード化してコマンドシーケンスとして記憶しておき、さらに、そのコマンドシーケンスを実行するための実行キーを割り当てて登録しておく。そして、後で、同一の測定を繰り返して実行するとき、その実行キーをオンにすることにより、記憶していたコマンドシーケンスを読み出して測定部を制御させる構成とした技術がある（特許文献１を参照）。
【先行技術文献】
【特許文献】
【０００３】
【特許文献１】特開平６―３４７３６７号公報
【発明の概要】
【発明が解決しようとする課題】
【０００４】
一般に、外部のコンピュータを備えた制御装置からＧＰＩＢコマンドでリモート制御可能にされている測定装置も多い。例えば製造ラインでは、このような測定装置のリモート制御機能を利用し、複数のＧＰＩＢコマンドを連ねてその送信手順を定めたＧＰＩＢコマンドシーケンスを予め作成して制御装置に記憶させておき、このＧＰＩＢコマンドシーケンスに従って制御装置から測定装置にＧＰＩＢコマンドを送信して測定装置をリモート制御することにより、決められた測定や検査を行う。このようにすることで、測定や検査にかかる時間の短縮や、製造ライン変更への対応の容易化を図っている。
【０００５】
しかし、ＧＰＩＢコマンドシーケンスを作成する際には、測定装置の取扱説明書等を参照し、１つ１つのＧＰＩＢコマンドの機能や書式を確認して実装する必要がある。ＧＰＩＢコマンドは、測定装置自体の操作部から行うキー操作やマウス操作とは、別に定義されているので、測定装置の操作に慣れている操作者であっても、ＧＰＩＢコマンドシーケンスの作成に多大な時間を必要とする。また、ＧＰＩＢコマンドの記述ミスが発生するおそれがあるため、作成したＧＰＩＢコマンドシーケンスが正しいかどうか、個々のＧＰＩＢコマンド毎に検証する必要があった。
【０００６】
また、例えば、工場内で、制御装置を用いずに、直接、測定装置を操作して、測定を実行しているとき不具合が発生した場合、その不具合の相談を受けた製造者側でその不具合がでたときの操作と同様の制御をし、不具合を再現して対策を検討したい、或いは製造者側で正常に動作することが確認されたＧＰＩＢコマンドシーケンスで不具合があった工場側の測定装置を制御してみたい  等の要求に対しては、上記特許文献１の技術では、そのまま対応できないと言う欠点があった。
【０００７】
本発明の目的は、測定装置での操作に基づいてＧＰＩＢコマンドシーケンスを自動的に作成することにより、操作者が所望するＧＰＩＢコマンドシーケンスの作成を容易にし、また、不具合が発生したときの操作を簡易に再現できる構成にして、保守サービスを容易にすることである。
【課題を解決するための手段】
【０００８】
上記目的を達成するため、請求項１に記載の発明は、被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）とを備えた測定装置（１００）において、前記ユーザＩ／Ｆ部からの前記実行指示をＧＰＩＢコマンドに翻訳して外部へ出力するコマンドシーケンス生成部（３０）と、外部から前記ＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備えた。
【０００９】
請求項２に記載の発明は、被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）とを備え、複数製造されるうちの一つの測定装置（１０１）において、前記ユーザＩ／Ｆ部からの前記実行指示をＧＰＩＢコマンドに翻訳して第１の外部記憶媒体（８１）に記憶させるコマンドシーケンス生成部（３０）と、前記複数製造されるうちの他の一つの前記測定装置（２００）の前記コマンドシーケンス生成部で記憶された他の外部記憶媒体から読み出されたＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備え、前記第１の外部記憶媒体に記憶された前記ＧＰＩＢコマンドは、読み出されて、前記複数製造されるうちのいずれか一つの前記測定装置の前記ＧＰＩＢＩ／Ｆ部で利用可能である構成とした。
【００１０】
請求項３に記載の発明は、被試験装置もしくは被試験信号を測定する測定部（２２）を含み該測定部に測定を実行させる測定実行部（２０）と、操作部（１１）を含み該操作部から設定入力される各種の測定条件もしくは各種の測定機能を受けて各種の実行指示として前記測定実行部に送ることによって前記測定を実行させるユーザＩ／Ｆ部（１０）と、外部の制御器（３００）からＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送るＧＰＩＢＩ／Ｆ部（５０）と、を備え、複数製造されるうちの一つの測定装置（１００）において、前記測定実行部が受ける前記実行指示の順に、該実行指示をＧＰＩＢコマンドに翻訳して外部へ出力するコマンドシーケンス生成部（３０）と、前記ＧＰＩＢＩ／Ｆ部は、前記複数製造されるうちの他の一つの前記測定装置のコマンドシーケンス生成部で生成されたＧＰＩＢコマンドが記憶された他の外部記憶媒体が装着された前記制御器から該ＧＰＩＢコマンドを受けたとき、該ＧＰＩＢコマンドを前記測定実行部が実行できる前記実行指示に翻訳して該実行指示を、前記ユーザＩ／Ｆ部に代わって該測定実行部に送る構成とした。
【発明の効果】
【００１１】
上記、本発明の構成によれば、例えば、操作部からの一連の前記設定入力に対応する一連のＧＰＩＢコマンドに翻訳して出力する構成であるから、操作者が所望するＧＰＩＢコマンドシーケンスを容易に作成できる。
また、他の外部記憶媒体から読み出された一連のＧＰＩＢコマンドを受けたとき、該一連のＧＰＩＢコマンドに沿って測定を実行できる構成であるから、遠端の地であっても、外部記憶媒体を介して、不具合を解析し、是正するのに供することができる。
【図面の簡単な説明】
【００１２】
【図１】第１の実施形態の機能・構成を示す図である。
【図２】第２の実施形態の機能・構成を示す図である。
【図３】第２の実施形態の使用態様を説明するための図である。
【図４】第３の実施形態の機能・構成を示す図である。
【図５】ＧＰＩＢコマンドシーケンスを説明するための図である。
【発明を実施するための形態】
【００１３】
ここでは、ＧＰＩＢコマンドシーケンスの生成、及び外部からの測定制御の仕方の違いにより、第１、第２，第３の実施形態に分けて説明する。
【００１４】
［第１の実施形態］
図１を基に第１の実施形態である測定装置１００について説明する。測定実行部２０の測定制御部２１は、ユーザＩ／Ｆ１０からの指示にしたがって、測定部２２を制御する。測定部２２は、ここでは、例えば、移動体通信機器等の被試験機器に信号発生部２２ａから実際の無線システムで規定される信号を送り、被試験機器からの信号を信号解析部２２ｂで受信して、測定、解析することにより、被試験機器を検査するものである。そのとき、受信した信号を時間領域で解析したり、周波数領域でその信号の周波数スペクトラムを解析することがある。その測定結果、解析を行った結果を、測定制御部２１を介してユーザＩ／Ｆ部１０の表示部１２に表示させる。
【００１５】
測定部２２の信号発生部２２ａは、被試験機器へ送出する信号の周波数、周波数の切り替え、出力レベル、出力レベルの切り替え、等が制御可能なように、周波数可変発振器、出力アッテネータ等を有している。同様に、信号解析部２２ｂは、受信周波数、その切り替え、入力レベル、その切り替え、さらには、受信信号を所望の周波数帯域で分析するための分解能帯域幅、受信時間帯等の制御が可能な受信部を備え、かつ種々の解析を行うためのデータ処理機能部を制御可能に有する。測定制御部２１は、上記の測定部２２に対して、測定部２２内で測定を実行する各構成要素に対して制御信号を送って制御する。
【００１６】
測定実行部２０の具体的な大きな測定項目（機能）の例としては、送信パワー測定（例えば特開２００３−４６４３１号公報）、隣接チャンネル漏洩測定（例えば、特許２９７１６８３号公報）、呼接続試験（例えば、特許３６５１８５０号公報）、複数移動体通信機器の同時試験（例えば、特許３９１６５９１号公報）、がある。そのため、これらの各試験が選択的に入力設定（測定機能の設定）が可能にされ、その中の試験条件として、送信条件（周波数、出力レベル、等）及び受信条件（入力周波数。入力レベル、分解能帯域幅等）の設定入力、さらに各試験に対応する解析機能の設定入力が可能にされている。これらは、いずれも操作部１１から入力設定可能にされている。
【００１７】
ユーザＩ／Ｆ部１０のＩ／Ｆ処理部１３は、予め測定実行部２０を制御して測定させるための上記した各機能・条件、操作者が選択或いは入力可能（以下、「設定入力」と言う。）に案内するための案内を表示する。そして、操作者が実際に設定入力したときの機能・条件を実行指示として受けて、それらを表示部１２に案内表示されている該当項目に表示させるとともに、測定実行部２０の測定制御部２１へスイッチＳ１を介して送り、その実行指示（測定装置１００内で各要素が認識できるコード化されたコマンドであって、「ＧＰＩＢコマンド」とは区別して「実行指示」と言う。）にしたがって、実行させる。
【００１８】
Ｉ／Ｆ処理部１３は、タイマーを有し、実行指示を発したときの時刻を計時することがある。これは、後記するＧＰＩＢコマンドシーケンスに付帯させるのに用いられる場合に有用である。
【００１９】
ＧＰＩＢＩ／Ｆ部５０は、外部のコンピュータからなる制御器３００からのＧＰＩＢコマンド（或いはそのシーケンス）を受けて、翻訳部５１により内部の実行指示に翻訳してスイッチＳ１を介して測定実行部２０へ送り、その翻訳された実行指示にしたがって測定させる。
【００２０】
翻訳部５１は、予め備えている図５（Ａ）に示すようなＧＰＩＢコマンドテーブル（いわば辞書）を参照しながら、翻訳する。図５（Ａ）は、向かって左欄の「ＧＰＩＢコマンドを制御器３００から受けて、右欄の該当する「実行指示」に翻訳する。例えば、「ＯＦＲＥＱ“９００”」を「出力周波数  ９００ＭＨｚ」に翻訳する。これは信号発生部２２ａの出力周波数を制御するためのＧＰＩＢコマンドの翻訳例である。
【００２１】
スイッチＳ１は、操作部１１からの指示が内部制御「ＩＮ」（内部）であれば操作部１１側からの実行指示を測定制御部２１へ送り、操作部１１からの指示が内部制御「ＲＭ」（外部制御）であれば制御器３００側からの実行指示を測定制御部２１へ送る。
なお、内部制御「ＩＮ」又は外部制御「ＲＭ」への切り替えは、操作部１１からの指示だけでなく、ＧＰＩＢコマンドシーケンスにその切り換え指示をコマンドとして含めることにより、制御器３００からの指示でも切り替えられる。スイッチＳ１は、極端な例では、実行指示（或いはＧＰＩＢコマンド）毎に切り替えられることもある。
【００２２】
コマンドシーケンス生成部３０、シーケンス記憶部６０及び外部記憶媒体Ｉ／Ｆ部７０は、以下に説明するようにＧＰＩＢコマンドを生成し、操作部１１からＩ／Ｆ処理部１３を介して「外部媒体記憶指示」を受けたときに、外部記憶媒体８０に記憶させる。
【００２３】
コマンドシーケンス生成部３０は、Ｉ／Ｆ処理部１３から測定実行部２０の測定制御部２１へ送られる実行指示をＧＰＩＢコマンドに翻訳して、一連のＧＰＩＢコマンドシーケンスとして生成する。翻訳部３１は、図５（Ａ）に示すＧＰＩＢコマンドテーブル４０を参照して翻訳する。例えば、図５（Ａ）で実行指示として「出力レベル  ０ｄＢｍ」を受けたときは、「ＯＬＶＬ“０”」をＧＰＩＢコマンドに翻訳する。翻訳部３１は、翻訳部５１の逆翻訳を行う。言い換えると、測定制御部２１が「出力レベル  ０ｄＢｍ」なる実行指示を測定部２２へ送ってその条件で測定を実行させる一方で、コマンドシーケンス生成部３０がその実行指示を「ＯＬＶＬ“０”」に翻訳することで、該当するＧＰＩＢコマンドを生成する。したがって、操作者は、通常の測定を行う態様で測定装置を操作し、所望の機能・条件を設定するだけで、（コマンド生成を意識することなく）その所望の機能・条件に該当するＧＰＩＢコマンドが生成されることになる。一方で、操作者は、設定された機能・条件で動作する測定の結果を確認できるので、実効が確認された確実なＧＰＩＢコマンドが生成されることになる。
【００２４】
コマンドシーケンス生成部３０は、ＧＰＩＢコマンドを図５（Ｃ）に示すように項番（順序）を付して一連のＧＰＩＢコマンドシーケンスとして生成する。
【００２５】
また、コマンドシーケンス生成部３０は、各ＧＰＩＢコマンドの該当する実行指示が操作部１１で発生したときの時刻を図５（Ｂ）に示すように付しても良い。これは、後で、この生成したＧＰＩＢコマンドシーケンス使って測定装置の不具合を解析するときに、時間的な観点から検討するときに役立つことがあるので、ＧＰＩＢコマンドに付帯させておく。コマンドシーケンス生成部３０は、この時刻情報をＩ／Ｆ処理部１３から直接に実行指示と同じタイミング、順序で受けても良いし、Ｉ／Ｆ処理部１３が実行指示に時刻情報を付帯させたのを受け取る構成にしても良い。このように、操作者の操作に対応したＧＰＩＢコマンド及びこのＧＰＩＢコマンドを連ねたＧＰＩＢコマンドシーケンスが自動的に生成されるので、ＧＰＩＢコマンドシーケンスの作成が容易になる。
【００２６】
また、図１からも理解できるように、Ｉ／Ｆ処理部１３からの実行指示（内部制御）又はＩ／Ｆ処理部１３からの実行指示と外部の制御器３００からＧＰＩＢＩ／Ｆ部５０で翻訳されてくる実行指示（外部制御）の双方をＧＰＩＢコマンドに翻訳する。一般に、測定装置としては操作部１１で設定入力できない条件・機能であるが、外部からＧＰＩＢコマンドで制御可能な条件・機能が用意されていることも多い。そこで、上記のようにＩ／Ｆ処理部１３からの実行指示と、操作者が制御器３００を使って送ってくる実行指示とを混在できる態様でＧＰＩＢコマンドシーケンスを生成できる構成にした。
【００２７】
さらに、図５（Ｂ）に示すように、コマンドシーケンス生成部３０は、実行指示がユーザＩ／Ｆ部１０からの実行指示の場合（内部制御の場合）は、その翻訳したＧＰＩＢコマンドに符号「ＩＮ」を、実行指示がＧＰＩＢＩ／Ｆ部５０からの実行指示の場合（外部制御の場合）はその翻訳したＧＰＩＢコマンドに符号「ＲＭ」を識別可能に付帯させる構成としても良い。これにより、後で、不具合を対策するサービスマンが参照できるようにすることで、不具合対策に寄与できる。
【００２８】
上記のＧＰＩＢコマンドへの時刻情報、外部制御「ＩＮ」及び内部制御「ＲＭ」等の付帯情報の付加は、コマンドシーケンス生成部３０ではなく、シーケンス記憶部６０で行っても良い。
【００２９】
シーケンス記憶部６０は、コマンドシーケンス生成部３０が生成したＧＰＩＢコマンドシーケンスをそのまま記憶する。なお、シーケンス記憶部６０は、制御器３００が出力したＧＰＩＢコマンドに関しては、ＧＰＩＢＩ／Ｆ部５０及びコマンドシーケンス生成部３０のルートで得られたＧＰＩＢコマンドではなく、直接に制御器３００からのＧＰＩＢコマンドを記憶する構成としても良い（図１の点線のルート）。
【００３０】
外部記憶媒体Ｉ／Ｆ部７０は、外部から装着される外部記憶媒体８０にアクセスして、シーケンス記憶部６０に記憶されているＧＰＩＢコマンドシーケンスを記憶させる。外部記憶媒体８０としては、ＩＣメモリ（ＵＳＢメモリ、ＳＤメモリ等）、小型ハードディスク、ＦＤ、ＣＤ等が利用できる。また、外部コンピュータと通信し、その外部コンピュータ内のメモリ、或いはそれに装着されるメモリであっても良い。
【００３１】
制御器３００は、自己に装着された外部記憶媒体８０もしくは、測定装置１００と同じ機能動作を行う他の測定器で生成されたＧＰＩＢコマンドシーケンスを記憶した記憶媒体を駆動して、読み出し、読み出したＧＰＩＢコマンドシーケンスをＧＰＩＢＩ／Ｆ部５０に送り、測定を行わせる。したがって、同一構成（同一機種）の測定装置１００が２つあれば、互いに遠方の地にあっても、不具合が生じた測定装置１００のＧＰＩＢコマンドシーケンスを他方の測定装置１００で実行して、動作確認をできる。制御器３００は、操作者による操作でＧＰＩＢコマンドを生成することもできる。
【００３２】
［第２の実施形態］
図２を基に第２の実施形態である測定装置１０１について、図１との違いを中心に説明する。図２は、図１の外部記憶媒体Ｉ／Ｆ部７０に換えて、コンピュータによる実行機能を有する外部記憶媒体Ｉ／Ｆ部７１を設けたものである。図２でスイッチＳ２は、スイッチＳ１と連動して働き、内部制御「ＩＮ」、外部制御「ＲＭ」に対応して切り替わる。そして、スイッチＳ１が内部制御「ＩＮ」に接続されているとき、測定実行部２０の測定制御部２１は、ユーザＩ／Ｆ部１０からの指示にしたがって、コマンドシーケンス生成部３０が生成したＧＰＩＢコマンドシーケンスを外部記憶媒体Ｉ／Ｆ部７１を介して外部記憶媒体８０へ記憶させる（これは図１と同じ）、そして、外部記憶媒体Ｉ／Ｆ部７１はスイッチＳ１が外部制御「ＲＭ」に接続されているときは反対の流れになり、外部記憶媒体Ｉ／Ｆ部７１はＧＰＩＢコマンドシーケンスを記憶した外部記憶媒体８０からそのＧＰＩＢコマンドシーケンスをＧＰＩＢＩ／Ｆ部５０へ送り測定を実行させることができる。さらに言い換えれば、外部記憶媒体Ｉ／Ｆ部７１は、図１の外部記憶媒体Ｉ／Ｆ部７０に外部の制御器３００を内蔵した態様である（尚、内蔵して、さらに別の制御器３００を用意して、それから制御するようにしても良い。）。ただし、この場合、内部制御「ＩＮ」のＧＰＩＢコマンドと外部制御「ＲＭ」のＧＰＩＢコマンドとを同じシーケンスに入れたＧＰＩＢコマンドシーケンスを生成、記憶することはない。その他の構成・動作は、図１と同じである。
【００３３】
［第２の実施形態による使用態様］
図３を基に第２の実施形態の使用態様を説明する。測定装置１０１、２００を第２の実施形態で代表して採用して説明するが、図１の測定装置１００、図４の測定装置１０２でも同じ使用態様とすることができる。
【００３４】
図３は同一の測定装置１０１と、測定装置２００とは、同一機種で複数製造されたうちの２台であって、互いに遠隔地に設置された場合の例である。図３において点線部分で表した要素及びデータのルートは動作していない状態を表している。図３の測定装置１０１で、操作部１１を操作して一連の測定を行い。その一連の測定でＩ／Ｆ処理部１３から発せられた実行指示をコマンドシーケンス生成部３０で生成して、外部記憶媒体Ｉ／Ｆ部７１を介して外部記憶媒体８０に記憶させる。
【００３５】
次に、これを遠隔の地にある測定装置２００のところまで外部記憶媒体８０を搬送して装着する（通信、メールでも良い。）。そして、測定装置２００の外部記憶媒体Ｉ／Ｆ部７１が外部記憶媒体８０からＧＰＩＢコマンドシーケンスを読み出して、ＧＰＩＢＩ／Ｆ部５０がそれを実行指示に翻訳して、測定実行部２０へ送り実行させる。こうすることで、測定装置１０１の測定動作内容を、測定装置２００で試験してみる、あるいは再現してみることができる。言い換えれば、本発明は、測定装置サービスシステムとして採用できる。
【００３６】
図３で外部記憶媒体Ｉ／Ｆ部７１がコンピュータによる実行機能の有無に関わらず、図３の一点鎖線で示すように外部記憶媒体を制御器３００で読み取って測定装置２００を制御する態様であっても良い。
【００３７】
［第３の実施形態］
図４に第３の実施形態の機能構成を示す。図１及び図２においては、ユーザＩ／Ｆ部１０の実行指示を直接に測定実行部２０に送って測定制御していた。これに対して、図４では、ユーザＩ／Ｆ部１０の実行指示を常時、コマンドシーケンス生成部３０でＧＰＩＢコマンドに変換し、さらに、ＧＰＩＢＩ／Ｆ部５０で逆変換した実行指示を測定実行部２０に送って制御する構成とした。したがって、内部制御「ＩＮ」とＧＰＩＢコマンドと外部制御「ＲＭ」との切り替えをＧＰＩＢＩ／Ｆ部５０の前のスイッチＳ３で行っている。このスイッチＳ３も図１のスイッチＳ１と同様に、内部制御、外部制御のいずれからでも切り替え可能である。
【００３８】
この場合、シーケンス記憶部６０、及び外部記憶媒体Ｉ／Ｆ部７０は、操作者が必要と判断し操作部１１から「外部媒体記憶指示」を出力したときに、これを受けて、コマンドシーケンス生成部３０からのＧＰＩＢコマンドシーケンスを記憶し、かつ外部記憶媒体８０に記憶させる。
【００３９】
図４で、上記した以外の他の要素の構成・動作は図１と同じである。
【００４０】
上記の各実施形態におけるＩ／Ｆ処理部１３，測定制御部２１、コマンドシーケンス生成部３０，ＧＰＩＢＩ／Ｆ部５０は、上記説明の機能動作を行うプログラム及びそれを実行するＣＰＵ、及びデータを記憶するメモリを含んで構成される。
【符号の説明】
【００４１】
１０  ユーザＩ／Ｆ部、  １１  操作部、  １２  表示部、  １３  Ｉ／Ｆ処理部、２０  測定実行部、２１  測定制御部、  ２２  測定部、２２ａ  信号発生部、
２２ｂ  信号解析部、３０  コマンドシーケンス生成部、  ３１  翻訳部、
４０  ＧＰＩＢコマンドテーブル、５０  ＧＰＩＢＩ／Ｆ部、５１  翻訳部
６０  シーケンス記憶部、７０  外部記憶媒体Ｉ／Ｆ部、
７１  外部記憶媒体Ｉ／Ｆ部、８０  外部記憶媒体、  
１００、１０１、１０２、２００  測定装置、３００  制御器
Ｓ１、Ｓ２、Ｓ３  スイッチ
【図１】
2010203996.tif 000003
【図２】
2010203996.tif 000004
【図３】
2010203996.tif 000005
【図４】
2010203996.tif 000006
【図５】
2010203996.tif 000007